(57)【要約】      （修正有）【課題】建物の壁面を構成するタイルの劣化状況を迅速に且つある程度精度よく定量的に診断できるタイルの劣化診断方法、建物の壁面補修費用の見積もり方法、タイルの劣化診断システム、及び建物の壁面補修費用の見積もりシステムを提供する。【解決手段】タイルの劣化診断方法は、建物２０の躯体表面２０ａに複数並べて取り付けられ、建物２０の壁面を構成するタイル２２の劣化を診断する方法である。この方法は、複数のタイル２２のうちの一部について、その表面２２ａを打音検査装置を用いて所定時間打診する打診工程と、打診工程で得られる打診音を録音する録音工程と、録音工程で録音された打診音の所定の解析時間中での、タイル２２が劣化していない状態を示す正常部Ｎの打診音の発生時間と、タイルが劣化している状態を示す異常部Ａの打診音の発生時間との比率を算出することでタイルの劣化率を算出する劣化率算出工程と、を含む。【選択図】図２Ｂ
2020153938.tif 000002
【特許請求の範囲】
【請求項１】
建物の躯体表面に複数並べて取り付けられ、前記建物の壁面を構成するタイルの劣化を診断するタイルの劣化診断方法であって、
前記複数のタイルのうちの一部について、その表面を打音検査装置を用いて所定時間打診する打診工程と、
前記打診工程で得られる打診音を録音する録音工程と、
前記録音工程で録音された打診音の所定の解析時間中での、前記タイルが劣化していない状態を示す正常部の打診音の発生時間と、前記タイルが劣化している状態を示す異常部の打診音の発生時間との比率を算出することでタイルの劣化率を算出する劣化率算出工程と、
を含むことを特徴とするタイルの劣化診断方法。
【請求項２】
請求項１に記載のタイルの劣化診断方法であって、
前記劣化率算出工程は、前記録音工程で録音された打診音について、前記解析時間を複数の単位時間に分割し、該分割した各単位時間の打診音が、前記正常部及び前記異常部のいずれであるかを判定する判定工程と、
前記判定工程で判定した各単位時間の判定結果を積算することで、前記解析時間中の前記正常部の打診音の発生時間と前記異常部の打診音の発生時間との比率を算出する比率算出工程と、を含むことを特徴とするタイルの劣化診断方法。
【請求項３】
請求項２に記載のタイルの劣化診断方法であって、
前記判定工程は、複数の周波数帯域を通過させるバンドパスフィルタを用いて前記単位時間の打診音の周波数成分を抽出し、該抽出された打診音の周波数パターンと、予め登録されている前記正常部の基準となる周波数パターン及び前記異常部の基準となる周波数パターンを含む基準周波数パターンと、をパターンマッチングすることで、前記単位時間の打診音が前記正常部及び前記異常部のいずれであるかを判定することを特徴とするタイルの劣化診断方法。
【請求項４】
請求項３に記載のタイルの劣化診断方法であって、
前記単位時間の打診音の周波数パターンは、前記周波数帯域毎の前記打診音の特徴量を含み、
前記特徴量は、前記抽出された前記単位時間の打診音における各周波数帯域の周波数成分の実効値のそれぞれを、各周波数帯域の周波数成分のそれぞれの実効値の二乗和で除した値を含むことを特徴とするタイルの劣化診断方法。
【請求項５】
請求項１〜４のいずれか１項に記載のタイルの劣化診断方法を用いた建物の壁面補修費用の見積もり方法であって、
前記劣化率算出工程で算出された前記正常部と前記異常部との比率を、前記建物の壁面に取り付けられた複数のタイルのうちの補修が不要なタイルと補修が必要なタイルとの比率に換算し、これにより、前記建物の壁面補修に要する費用見積もりを行うことを特徴とする建物の壁面補修費用の見積もり方法。
【請求項６】
建物の躯体表面に複数が並べて取り付けられ、前記建物の壁面を構成するタイルの劣化を診断するタイルの劣化診断システムであって、
前記タイルの表面を打診する打音検査装置と、
前記複数のタイルのうちの一部について、その表面を前記打音検査装置で所定時間打診した際の打診音を録音する録音装置と、
前記録音装置で録音された打診音の所定の解析時間中での、前記タイルが劣化していない状態を示す正常部の打診音の発生時間と、前記タイルが劣化している状態を示す異常部の打診音の発生時間との比率を算出する劣化率算出部を有する演算装置と、
を含むことを特徴とするタイルの劣化診断システム。
【請求項７】
建物の躯体表面に複数が並べて取り付けられ、前記建物の壁面を構成するタイルの劣化を診断し、前記建物の壁面補修費用を見積もる建物の壁面補修費用の見積もりシステムであって、
前記タイルの表面を打診する打音検査装置と、
前記複数のタイルのうちの一部について、その表面を前記打音検査装置で所定時間打診した際の打診音を録音する録音装置と、
演算装置と、
を備え、
前記演算装置は、前記録音装置で録音された打診音の所定の解析時間中での、前記タイルが劣化していない状態を示す正常部の打診音の発生時間と、前記タイルが劣化している状態を示す異常部の打診音の発生時間との比率を算出する劣化率算出部と、
前記劣化率算出部で算出された前記正常部と前記異常部との比率を、前記建物の壁面に取り付けられた複数のタイルのうちの補修が不要なタイルと補修が必要なタイルとの比率に換算し、これにより、前記建物の壁面補修に要する費用見積もりを行う見積もり部と、を有することを特徴とする建物の壁面補修費用の見積もりシステム。
【発明の詳細な説明】
【技術分野】
【０００１】
本発明は、建物の壁面を構成するタイルの劣化を診断するタイルの劣化診断方法及び劣化診断システムと、劣化したタイルの補修費用を見積もる建物の壁面補修費用の見積もり方法及び見積もりシステムとに関する。
【背景技術】
【０００２】
マンションやビル等の建物は、建物躯体に複数のタイルを上下左右に並べて貼り付けた外壁を有することがある。外壁を構成するタイルは、落下等の防止のため、一定期間ごとに貼り直しや交換等の補修を行う必要がある。通常、この補修作業の実施前は、現地で一部のタイルについて予備調査を行い、その劣化状況に応じて補修費用を見積もっている。
【０００３】
上記のような予備調査は、先端に打診部が設けられた棒状の打音検査装置（例えば特許文献１参照）で一部のタイルを実際に打診している。そして、剥離等を生じている異常部と考えられるタイルの枚数を数え、その結果から外壁全体での異常部の枚数を推測し、補修費用を見積もっている。
【先行技術文献】
【特許文献】
【０００４】
【特許文献１】特開２０１８−０６６５９６号公報
【発明の概要】
【発明が解決しようとする課題】
【０００５】
上記のように、正確に補修タイルの枚数を算出する場合、作業者がタイルを打診し、不良個所を１枚１枚数える必要があり、補修費用の見積もりに相当な手間がかかる。また、見積もり時には足場を使用することができないため、見積もりのための打診を行う範囲も制限され、見積もり精度が低下することがあった。また、作業者の技能の熟練度によって異常部の判定結果も変動しており、安定した定量的な見積もりができなかった。見積もり精度が低いと、実際の補修作業に係る費用と見積もり費用とが大きく乖離し、交換タイルの再発注等も必要となり、補修計画自体を見直す必要があることもあった。
【０００６】
本発明は、上記従来技術の課題を考慮してなされたものであり、建物の壁面を構成するタイルの劣化状況を迅速に且つある程度精度よく定量的に診断できるタイルの劣化診断方法、建物の壁面補修費用の見積もり方法、タイルの劣化診断システム、及び建物の壁面補修費用の見積もりシステムを提供することを目的とする。
【課題を解決するための手段】
【０００７】
本発明に係るタイルの劣化診断方法は、建物の躯体表面に複数並べて取り付けられ、前記建物の壁面を構成するタイルの劣化を診断するタイルの劣化診断方法であって、前記複数のタイルのうちの一部について、その表面を打音検査装置を用いて所定時間打診する打診工程と、前記打診工程で得られる打診音を録音する録音工程と、前記録音工程で録音された打診音の所定の解析時間中での、前記タイルが劣化していない状態を示す正常部の打診音の発生時間と、前記タイルが劣化している状態を示す異常部の打診音の発生時間との比率を算出することでタイルの劣化率を算出する劣化率算出工程と、を含むことを特徴とする。
【０００８】
本発明に係るタイルの劣化診断システムは、建物の躯体表面に複数が並べて取り付けられ、前記建物の壁面を構成するタイルの劣化を診断するタイルの劣化診断システムであって、前記タイルの表面を打診する打音検査装置と、前記複数のタイルのうちの一部について、その表面を前記打音検査装置で所定時間打診した際の打診音を録音する録音装置と、前記録音装置で録音された打診音の所定の解析時間中での、前記タイルが劣化していない状態を示す正常部の打診音の発生時間と、前記タイルが劣化している状態を示す異常部の打診音の発生時間との比率を算出する劣化率算出部を有する演算装置と、を含むことを特徴とする。
【０００９】
本発明に係る建物の壁面補修費用の見積もりシステムは、建物の躯体表面に複数が並べて取り付けられ、前記建物の壁面を構成するタイルの劣化を診断し、前記建物の壁面補修費用を見積もる建物の壁面補修費用の見積もりシステムであって、前記タイルの表面を打診する打音検査装置と、前記複数のタイルのうちの一部について、その表面を前記打音検査装置で所定時間打診した際の打診音を録音する録音装置と、演算装置と、を備え、前記演算装置は、前記録音装置で録音された打診音の所定の解析時間中での、前記タイルが劣化していない状態を示す正常部の打診音の発生時間と、前記タイルが劣化している状態を示す異常部の打診音の発生時間との比率を算出する劣化率算出部と、前記劣化率算出部で算出された前記正常部と前記異常部との比率を、前記建物の壁面に取り付けられた複数のタイルのうちの補修が不要なタイルと補修が必要なタイルとの比率に換算し、これにより、前記建物の壁面補修に要する費用見積もりを行う見積もり部と、を有することを特徴とする。
【発明の効果】
【００１０】
本発明によれば、建物の壁面を構成するタイルの劣化状況を迅速に且つある程度精度よく定量的に診断することができる。
【図面の簡単な説明】
【００１１】
【図１】一実施形態に係る建物の壁面補修費用の見積もりシステムの構成を示すブロック図である。
【図２Ａ】下地浮きを生じた状態を模式的に示す建物の壁面の側面断面図である。
【図２Ｂ】タイル浮きを生じた状態を模式的に示す建物の壁面の側面断面図である。
【図３】一実施形態に係る建物の壁面補修費用の見積もり方法のフローチャートである。
【図４】タイルを打診する手順の一例を示す説明図である。
【図５】基準周波数パターンの一例を示すグラフである。
【図６Ａ】タイルの劣化診断結果の一表示例を示す図である。
【図６Ｂ】建物の壁面補修費用の見積もり結果の一表事例を示す図である。
【発明を実施するための形態】
【００１２】
以下、本発明に係るタイルの劣化診断方法及びシステムについて、この方法及びシステムを用いた壁面補修費用の見積もり方法及びシステムを例示して好適な実施の形態を挙げ、添付の図面を参照しながら詳細に説明する。
【００１３】
図１に示すように、本実施形態に係る建物の壁面補修費用の見積もりシステム１０（以下、単に「見積もりシステム１０」とも呼ぶ）は、打音検査装置１２と、録音装置１４と、演算装置１６と、表示装置１８とを備える。見積もりシステム１０は、マンションやビル等の建物２０の躯体表面２０ａ（図４参照）に上下左右に並んで複数取り付けられたタイル２２の劣化を診断する機能と、劣化したタイル２２の補修費用を見積もる機能とを備える。
【００１４】
打音検査装置１２は、タイル２２の表面２２ａ（図２Ａ及び図２Ｂ参照）を擦過することで、各タイル２２を打診する装置である。打音検査装置１２は、公知の構成でよく、例えば先端にタイル２２を叩く金属球（打診部１２ａ）を設けた棒状のハンマーである。
【００１５】
録音装置１４は、打音検査装置１２でタイル２２の表面２２ａを打診した際に発生する打音（打診音）を録音する装置である。録音装置１４は、打診部１２ａがタイル２２を叩いて発生した打診音を録音するためのメモリ１４ａを内蔵している。録音装置１４は、ケーブルを介して打音検査装置１２と接続されていてもよい。
【００１６】
演算装置１６は、例えば公知のパーソナルコンピュータ（ＰＣ）で構成された制御部である。演算装置１６は、周波数成分抽出部２４と、メモリ２５と、劣化率算出部２６と、見積もり部２７とを有する。
【００１７】
周波数成分抽出部２４は、所定の周波数帯域を通過させるバンドパスフィルタを用いて録音装置１４のメモリ１４ａに記録された打診音の周波数成分を抽出する。メモリ２５は、劣化率算出部２６での演算に利用する基準データ（基準周波数パターン）を格納している。劣化率算出部２６は、周波数成分抽出部２４で抽出された打診音の周波数パターンを算出し、この周波数パターンとメモリ２５に記録された基準周波数パターンとを比較することで、建物２０全体でのタイル２２の劣化率を算出する。見積もり部２７は、劣化率算出部２６で算出されたタイル２２の劣化率から建物２０全体でのタイル２２の補修費用を見積もる。演算装置１６を構成する各部２４，２６，２７は、例えばＣＰＵ（Ｃｅｎｔｒａｌ  Ｐｒｏｃｅｓｓｉｎｇ  Ｕｎｉｔ）等の処理装置にプログラムを実行させること、すなわちソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００１８】
表示装置１８は、演算装置１６で演算された見積もり結果やタイルの劣化状況を表示可能なディスプレイである。
【００１９】
本実施形態の見積もりシステム１０は、タイルの劣化診断システム３０（以下、単に「診断システム３０」とも呼ぶ）を含んだ構造である。診断システム３０は、壁面補修費用の見積もりに先立ち、タイル２２の劣化状況を診断するシステムである。本実施形態の診断システム３０は、打音検査装置１２と、録音装置１４と、演算装置１６（周波数成分抽出部２４、メモリ２５、劣化率算出部２６）と、表示装置１８とで構成されている。診断システム３０は、見積もりシステム１０と別体に構成されてもよく、この場合、見積もりシステム１０は、例えば演算装置１６（見積もり部２７）と、表示装置１８とで構成される。
【００２０】
図２Ａ及び図２Ｂに示すように、本実施形態の診断システム３０で診断するタイル２２の状態は、正常部Ｎ及び異常部Ａである。正常部Ｎは、タイル２２が劣化していな状態である。つまり正常部Ｎは、タイル２２が躯体表面２０ａに貼付モルタル（下地３２）を介して確実に固着された状態である。異常部Ａは、タイル２２が劣化している状態である。本実施形態で診断する異常部Ａには、下地浮き部Ａ１（図２Ａ参照）と、タイル浮き部Ａ２（図２Ｂ参照）とがある。下地浮き部Ａ１は、下地３２が躯体表面２０ａから剥がれ、その結果、タイル２２が躯体表面２０ａから浮いている状態である。タイル浮き部Ａ２は、タイル２２が下地３２から剥がれ、浮いている状態である。
【００２１】
なお、実際の下地浮き部Ａ１は、下地３２が躯体表面２０ａから剥離した状態の他、例えば以前行った補修作業等で下地３２とタイル２２との間に設けられた補修モルタル（調整モルタル）が躯体表面２０ａから剥がれて浮いた状態となっている場合もある。従って、下地浮き部Ａ１は、下地３２が躯体表面２０ａから浮いた状態と、補修モルタルが躯体表面２０ａから浮いた状態とに分類して診断してもよい。
【００２２】
次に、一実施形態に係るタイルの劣化診断方法及びこの診断方法を用いた建物の壁面補修費用の見積もり方法を説明する。本実施形態に係る見積もり方法では、図３中のステップＳ１〜Ｓ６に示すタイルの劣化診断方法を実行した後、ステップＳ７を実行して見積もりを作成する。
【００２３】
先ず、図３中のステップＳ１において、打音検査装置１２でタイル２２を打診し（打診工程）、発生する打診音を録音装置１４で録音する（録音工程）。タイル２２の打診は、建物２０に取り付けられた全てのタイル２２のうち、一部のタイル２２の表面２２ａを打診するものである。図４に示すように、打診は、例えば上下左右に並んだタイル２２について打診部１２ａを上下一方側へと移動させた後、左右一方側へと移動させ、続いて上下他方側へと移動させることで、蛇行形状を描くように擦過する。この打診工程は、予め設定した所定時間以上、例えば数十秒間或いは数分間以上行うことで、ある程度の範囲のタイル２２を打診する。録音装置１４で録音された打診音は、演算装置１６の周波数成分抽出部２４に送られる。
【００２４】
周波数成分抽出部２４は、ステップＳ２において、録音装置１４から送られた打診音のうち、所定の解析時間を複数の微小な単位時間に分割する。単位時間は、例えば０．０１〜０．１秒程度であり、本実施形態では０．０２秒である。ここで、解析時間とは、同一の建物２０に対して１回又は複数回行った打診工程を録音した全録音時間のうち、全部又は一部である。
【００２５】
続いて、周波数成分抽出部２４は、ステップＳ３において、ステップＳ２で分割した各単位時間の打診音の周波数成分をバンドパスフィルタを介して抽出し、周波数パターンを作成する。バンドパスフィルタは、例えば７つの周波数帯域Ｆ１〜Ｆ７（図５参照）のみを通過させるフィルタである。これにより各単位時間の打診音は、タイル２２に対する打音の特徴を示す周波数帯域Ｆ１〜Ｆ７の周波数成分が抽出される。周波数帯域Ｆ１〜Ｆ７は、オクターブバンド帯（１２５Ｈｚ，２５０Ｈｚ，５００Ｈｚ，１０００Ｈｚ，２０００Ｈｚ，４０００Ｈｚ，８０００Ｈｚ）である。ステップＳ３で作成する周波数パターンは、例えば各周波数帯域Ｆ１〜Ｆ７を横軸とし、抽出した打診音の各周波数帯域Ｆ１〜Ｆ７での特徴量を縦軸に示した波形パターンであり、原則として図５に示す３種類の基準周波数パターンのいずれかと類似したパターンとなる。
【００２６】
ステップＳ４において、劣化率算出部２６は、ステップＳ３で算出した各単位時間の周波数パターンのそれぞれを、メモリ２５に登録されている基準周波数パターンと比較するパターンマッチングを実行する（判定工程）。これにより劣化率算出部２６は、各単位時間の打診音が、正常部Ｎ、異常部Ａ（下地浮き部Ａ１、タイル浮き部Ａ２）のいずれであるかを判定する。
【００２７】
基準周波数パターンは、例えば図５に示すように、正常部Ｎを示す基準周波数パターンＮ（図５中に実線で示すグラフ）、下地浮き部Ａ１を示す基準周波数パターンＡ１（図５中に破線で示すグラフ）、タイル浮き部Ａ２を示す基準周波数パターンＡ２（図５中に１点鎖線で示すグラフ）の３種類のパターンで構成されている。これらのパターンＮ，Ａ１，Ａ２は、例えば実際の建物に取り付けられているタイルについて、熟練技術者が打音検査装置１２による打診を行って正常部Ｎ，下地浮き部Ａ１，タイル浮き部Ａ２と判定する作業を複数の建物に対して実施し、同時にそのときの打診音を録音装置１４で録音しておき、各部Ｎ，Ａ１，Ａ２での標準的な周波数パターンをステップＳ２，Ｓ３に示す方法と同様に算出したものである。
【００２８】
ここで、図５に示すグラフの縦軸である特徴量とは、各単位時間での打診音に含まれる各周波数帯域Ｆ１〜Ｆ７の比率を示している。具体的には、特徴量は、ステップＳ３で抽出された単位時間毎の打診音における各周波数帯域Ｆ１〜Ｆ７の周波数成分の実効値を、各周波数帯域Ｆ１〜Ｆ７の周波数成分のそれぞれの実効値の二乗和（単位時間での合計音量）で除した値を含む。つまり本実施形態の特徴量は、単位時間（例えば０．０２秒）の打診音の合計音量に対する各周波数帯域Ｆ１〜Ｆ７の音の比率を示している。なお、ステップＳ３で作成した周波数パターンも、図５に示す基準周波数パターンと類似したパターンとなる。このような特徴量を用いることで、タイル２２の打診音に含まれる正常部Ｎや下地浮き部Ａ１、タイル浮き部Ａ２の音の特徴をより正確に判断でき、得られた打診音が各部Ｎ，Ａ１，Ａ２であるかを精度よく判断できる。
【００２９】
劣化率算出部２６のステップＳ４において、実際の現場で得られた打診音の単位時間毎の周波数パターンと、メモリ２５に記録された基準周波数パターンとをパターンマッチングし、各単位時間の周波数パターンが基準周波数パターンＮ，Ａ１，Ａ２のいずれと同一又は最も類似するパターンであるかを判定する。これにより現場で得られた単位時間の打診音が各部Ｎ，Ａ１，Ａ２であるかを精度よく且つ容易に判定できる。なお、パターンマッチング手法は、公知の手法を用いればよい。これら周波数パターン及び基準周波数パターンには、各周波数帯域Ｆ１〜Ｆ７での特徴量に加えて、各周波数帯域Ｆ１〜Ｆ７の周波数成分のそれぞれの実効値の二乗和（単位時間での合計音量）を用いてもよい。
【００３０】
次いで、劣化率算出部２６のステップＳ５において、各単位時間の打診音の判定結果を積算する。これにより全解析時間中での正常部Ｎ（パターンＮ）の発生時間、下地浮き部Ａ１（パターンＡ１）の発生時間、及びタイル浮き部Ａ２（パターンＡ２）の発生時間が算出される。下地浮きの劣化率は、下地浮き部Ａ１（パターンＡ１）の発生時間／（正常部Ｎの発生時間＋下地浮き部Ａ１の発生時間＋タイル浮き部Ａ２の発生時間）というように検出された音声パターンの発生時間比で算出する。また、タイル浮きの劣化率は、タイル浮き部Ａ２（パターンＡ２）の発生時間／（正常部Ｎの発生時間＋下地浮き部Ａ１の発生時間＋タイル浮き部Ａ２の発生時間）というように検出された音声パターンの発生時間比で算出する（劣化率算出工程。比率算出工程）。これら各部Ｎ，Ａ１，Ａ２の比率は、例えば図６Ａに示すように表示装置１８に表示してもよい。
【００３１】
このように当該見積もりシステム１０は、全解析時間に含まれる打診音を複数の単位時間に分割し、分割された各単位時間の打診音を個別に解析し、それを積算する。これにより、全解析時間の打診音を一度に解析して正常部Ｎ等を判定する方法に比べて、演算装置１６の処理負担を低減でき、装置コストを低減できる。しかも打診音を分割処理することで、基準周波数パターンと得られた周波数パターンとのマッチングも容易となり、判定制度も向上する。
【００３２】
最終的には、得られた正常部Ｎと異常部Ａ（下地浮き部Ａ１、タイル浮き部Ａ２）の比率から、見積もり部２８は、ステップＳ７において、ステップＳ６で算出されたこれら各部Ｎ，Ａ１，Ａ２の比率を、建物２０の全てのタイル２２のうちで補修が不要なタイル２２（正常部Ｎ）と、補修が必要なタイル２２（下地浮き部Ａ１、タイル浮き部Ａ２）の比率に換算する。そして、補修が必要な全てのタイル２２について、下地浮き部Ａ１の補修に必要な費用（下地浮き補修単価×下地浮き補修必要枚数）と、タイル浮き部Ａ２の補修に必要な費用（タイル浮き補修単価×タイル浮き補修必要枚数）とを見積もりし、その結果を例えば図６Ｂに示すように表示装置１８に表示する。図６中の（１）の費用が、下地浮き部Ａ１の見積もり費用の一例であり、（２）の費用が、タイル浮き部Ａ２の見積もり費用の一例であり、（３）の費用が、下地浮き部Ａ１及びタイル浮き部Ａ２の合計見積もり費用の一例である。これにより建物２０の壁面補修費用の見積もり算出処理が完了する。なお、壁面補修費用の見積もり算出を行わず、タイルの劣化診断のみを行う場合（タイルの劣化診断方法）は、上記したステップＳ１〜Ｓ６のみを実行すればよい。
【００３３】
このように本実施形態の見積もりシステム１０によれば、作業者は、タイル２２の表面２２ａを打音検査装置１２によって所定時間以上打診しながら、その打診音を録音するだけでよい。そうすると、演算装置１６によって録音された打診音から正常部Ｎと異常部Ａ（下地浮き部Ａ１、タイル浮き部Ａ２）の比率が算出され、必要に応じて壁面補修費用の見積もりも算出される。これにより、作業者は、タイル２２の劣化診断時或いは壁面補修費用の見積もり時に、打音検査装置１２による打診結果を判断する必要がないため、打診作業の作業効率が向上し、作業速度も向上する。そして、このように作業者の打診作業の負担が減ることで、見積もりのための打診を行う範囲を拡大することもでき、壁面補修費用の見積もり精度も向上させることができる。同時に、タイル２２の劣化診断には、作業者の技能の熟練度が影響しないため、見積もり精度が一層向上する。
【００３４】
本発明に係るタイルの劣化診断方法は、建物の躯体表面に複数並べて取り付けられ、前記建物の壁面を構成するタイルの劣化を診断するタイルの劣化診断方法であって、前記複数のタイルのうちの一部について、その表面を打音検査装置を用いて所定時間打診する打診工程と、前記打診工程で得られる打診音を録音する録音工程と、前記録音工程で録音された打診音の所定の解析時間中での、前記タイルが劣化していない状態を示す正常部の打診音の発生時間と、前記タイルが劣化している状態を示す異常部の打診音の発生時間との比率を算出することでタイルの劣化率を算出する劣化率算出工程と、を含むことを特徴とする。この方法によれば、一部のタイルを打診して得られた打診音の録音に含まれる正常部の打診音の発生時間と異常部の打診音の発生時間との比率を算出する。これにより作業者は、タイルを打音検査装置によって所定時間以上打診するだけでよいため、作業者がタイル１枚１枚の正常、異常をその場で判定する必要がない。このため、タイルの劣化診断時の打診作業の作業効率及び作業速度が向上し、その劣化状況を迅速に診断できる。しかも作業者の打診作業の負担が減ることで、打診範囲を拡大させてより広範囲のタイルの打診結果から建物全体でのタイルの劣化状況を算出できる。このため、診断精度も見積もり時と補修量が大きく隔たりが生じない程度まで向上する。
【００３５】
本発明に係るタイルの劣化診断方法において、前記劣化率算出工程は、前記録音工程で録音された打診音について、前記解析時間を複数の単位時間に分割し、該分割した各単位時間の打診音が、前記正常部及び前記異常部のいずれであるかを判定する判定工程と、前記判定工程で判定した各単位時間の判定結果を積算することで、前記解析時間中の前記正常部の打診音の発生時間と前記異常部の打診音の発生時間との比率を算出する比率算出工程と、を含んでもよい。そうすると、全解析時間の打診音を一度に解析して正常部等を判定する方法に比べて、演算に用いるパーソナルコンピュータ等の処理負担を低減でき、装置コストを低減できる。しかも打診音を分割処理することで、基準周波数パターンと得られた周波数パターンとのマッチングも容易となり、判定制度も向上する。
【００３６】
本発明に係るタイルの劣化診断方法において、前記判定工程は、複数の周波数帯域を通過させるバンドパスフィルタを用いて前記単位時間の打診音の周波数成分を抽出し、該抽出された打診音の周波数パターンと、予め登録されている前記正常部の基準となる周波数パターン及び前記異常部の基準となる周波数パターンを含む基準周波数パターンと、をパターンマッチングすることで、前記単位時間の打診音が前記正常部及び前記異常部のいずれであるかを判定してもよい。そうすると、現場で得られた単位時間の打診音が正常部であるか異常部であるかをより精度よく且つ容易に判定できる。
【００３７】
本発明に係るタイルの劣化診断方法において、前記単位時間の打診音の周波数パターンは、前記周波数帯域毎の前記打診音の特徴量を含み、前記特徴量は、前記抽出された前記単位時間の打診音における各周波数帯域の周波数成分の実効値のそれぞれを、各周波数帯域の周波数成分のそれぞれの実効値の二乗和で除した値を含むものとしてもよい。そうすると、このような特徴量を用いることで、タイルの打診音に含まれる正常部や異常部の音の特徴をより正確に判断でき、得られた打診音がいずれであるかをより精度よく判断できる。
【００３８】
本発明に係る建物の壁面補修費用の見積もり方法は、上記構成のタイルの劣化診断方法を用いた建物の壁面補修費用の見積もり方法であって、前記劣化率算出工程で算出された前記正常部と前記異常部との比率を、前記建物の壁面に取り付けられた複数のタイルのうちの補修が不要なタイルと補修が必要なタイルとの比率に換算し、これにより、前記建物の壁面補修に要する費用見積もりを行うことを特徴とする。このような方法によれば、より精度よく且つ簡便に建物の壁面補修費用の見積もりを作成することができる。このため、見積もり結果と、実際の補修工事の工期や費用とが剥離することを抑制できる。
【００３９】
本発明に係るタイルの劣化診断システムは、建物の躯体表面に複数が並べて取り付けられ、前記建物の壁面を構成するタイルの劣化を診断するタイルの劣化診断システムであって、前記タイルの表面を打診する打音検査装置と、前記複数のタイルのうちの一部について、その表面を前記打音検査装置で所定時間打診した際の打診音を録音する録音装置と、前記録音装置で録音された打診音の所定の解析時間中での、前記タイルが劣化していない状態を示す正常部の打診音の発生時間と、前記タイルが劣化している状態を示す異常部の打診音の発生時間との比率を算出する劣化率算出部を有する演算装置と、を含むことを特徴とする。このような構成によれば、タイルの劣化診断時の打診作業の作業効率及び作業速度が向上し、その劣化状況を迅速に診断できる。しかも作業者の打診作業の負担が減ることで、打診範囲を拡大させてより広範囲のタイルの打診結果から建物全体でのタイルの劣化状況を算出できるため、診断精度も向上する。
【００４０】
本発明に係る建物の壁面補修費用の見積もりシステムは、建物の躯体表面に複数が並べて取り付けられ、前記建物の壁面を構成するタイルの劣化を診断し、前記建物の壁面補修費用を見積もる建物の壁面補修費用の見積もりシステムであって、前記タイルの表面を打診する打音検査装置と、前記複数のタイルのうちの一部について、その表面を前記打音検査装置で所定時間打診した際の打診音を録音する録音装置と、演算装置と、を備え、前記演算装置は、前記録音装置で録音された打診音の所定の解析時間中での、前記タイルが劣化していない状態を示す正常部の打診音の発生時間と、前記タイルが劣化している状態を示す異常部の打診音の発生時間との比率を算出する劣化率算出部と、前記劣化率算出部で算出された前記正常部と前記異常部との比率を、前記建物の壁面に取り付けられた複数のタイルのうちの補修が不要なタイルと補修が必要なタイルとの比率に換算し、これにより、前記建物の壁面補修に要する費用見積もりを行う見積もり部と、を有することを特徴とする。このような構成によれば、より精度よく且つ簡便に建物の壁面補修費用の見積もりを作成することができる。このため、見積もり結果と、実際の補修工事の工期や費用とが剥離することを抑制できる。
【００４１】
なお、本発明は、上記した実施形態に限定されるものではなく、本発明の主旨を逸脱しない範囲で自由に変更できることは勿論である。
【００４２】
上記では、タイル２２の劣化診断として、下地浮き部Ａ１とタイル浮き部Ａ２とを診断するものとしたが、これら下地浮き部Ａ１とタイル浮き部Ａ２とをまとめて異常部Ａとして診断してもよいし、他の異常と合わせて３種類以上の異常部のそれぞれを診断してもよい。
【符号の説明】
【００４３】
１０  建物の壁面補修費用の見積もりシステム、１２  打音検査装置、１４  録音装置、１４ａ，２５  メモリ、１６  演算装置、１８  表示装置、２０  建物、２０ａ  躯体表面、２２  タイル、２２ａ  表面、２４  周波数成分抽出部、２６  劣化率算出部、２７  見積もり部、３０  タイルの劣化診断システム
【図１】
2020153938.tif 000003
【図２Ａ】
2020153938.tif 000004
【図２Ｂ】
2020153938.tif 000005
【図３】
2020153938.tif 000006
【図４】
2020153938.tif 000007
【図５】
2020153938.tif 000008
【図６Ａ】
2020153938.tif 000009
【図６Ｂ】
2020153938.tif 000010